(57)【要約】【課題】従来の通気断熱構造を備えた建築構造と比較して、より簡易な構成により室内の住環境を改善することができる通気構造を備えた建築構造を提供する。【解決手段】室内の水蒸気あるいは揮発性有機化合物を壁構造材１０を透過して外部に排出する通気構造を備える建築構造であって、前記壁構造材１０は、断熱性および透湿性を備え、外装材２０が、前記壁構造材１０の外面に、壁構造材１０との間に通気層３０を設けて設置されている。前記外装材２０は、前記壁構造材１０の下部近傍から壁構造材１０の外面に沿って設置され、上端縁を軒先２２に連結して、前記通気層３０と小屋裏２５とが連通する。【選択図】図１
2009270397.tif 000002
【特許請求の範囲】
【請求項１】
室内の水蒸気あるいは揮発性有機化合物を壁構造材を透過して外部に排出する通気構造を備える建築構造であって、
前記壁構造材は、断熱性および透湿性を備え、
外装材が、前記壁構造材の外面に、壁構造材との間に通気層を設けて設置されていることを特徴とする通気構造を備える建築構造。
【請求項２】
前記外装材は、前記壁構造材の下部近傍から壁構造材の外面に沿って設置され、
上端縁を軒先に連結して、前記通気層と小屋裏とを連通させていることを特徴とする請求項１記載の通気構造を備える建築構造。
【請求項３】
前記外装材は、前記壁構造材の下部近傍から壁構造材の外面に沿って、軒先の近傍まで上端縁を延出させて設置されていることを特徴とする請求項１記載の通気構造を備える建築構造。
【請求項４】
前記壁構造材は、前記通気層が配置された側から室内側に向けて、透湿性の防水シート、透湿性のボード、透湿性の断熱材、透湿性のボードを備えることを特徴とする請求項１〜３のいずれか一項記載の通気構造を備える建築構造。
【請求項５】
前記通気層側に配置された透湿性のボードの透湿抵抗が、室内側に配置された透湿性のボードの透湿抵抗よりも低く設定されていることを特徴とする請求項４記載の通気構造を備える建築構造。
【請求項６】
前記透湿性のボードは、石膏ボードであることを特徴とする請求項４または５記載の通気構造を備える建築構造。
【請求項７】
前記断熱材は、木質繊維素材からなることを特徴とする請求項４〜６のいずれか一項記載の通気構造を備える建築構造。
【請求項８】
前記壁構造材に加えて、天井を構築する天井構造材が、断熱性および透湿性を備えることを特徴とする請求項１〜８７いずれか一項記載の通気構造を備える建築構造。
【請求項９】
前記天井構造材は、透湿性の断熱材を備えることを特徴とする請求項８記載の通気構造を備える建築構造。
【請求項１０】
前記通気層に、通気層への外気の流入・遮断を制御する通気制御機構が設けられていることを特徴とする請求項１〜９のいずれか一項記載の通気構造を備える建築構造。
【発明の詳細な説明】
【技術分野】
【０００１】
本発明は通気構造を備える建築構造に関し、より詳細には、壁構造材等の透湿性と、外装材と壁構造材との間に設けた通気層を利用した通気構造を備える建築構造に関する。
【背景技術】
【０００２】
本発明者は、建築物の壁面に通気層を設け、通気層に外気をとり入れることにより、木材からなる構造材の蒸れを防止して建築物の耐久性を高め、住環境を好適に維持することを可能にした通気断熱構造を備える建築物について提案した（特許文献１、２参照）。この通気断熱構造は、壁構造材の外側と内側に沿ってそれぞれ外部通気装置と内部通気層を設け、外部の自然環境に応じて外部通気層と内部通気層の通気を制御することにより、壁構造材の透湿作用（換気作用）を利用して室内の住環境を好適に維持するものである。
【０００３】
通気断熱構造は、夏期のように外気温が高い場合には、外部通気層と内部通気層にともに通気させ、床下空間と内部通気層とを連通させて床下側から内部通気層に気流を流通させることによって、室内の熱気と湿気を内部通気層を介して排出し、冬期のように外気温が低くなる場合には、外部通気層と内部通気層の通気を停止させ、外部通気層と内部通気層を保温層として作用させることによって室内を暖かく保持するように作用する。
【特許文献１】特開平１１−１８１９０１号公報
【特許文献２】特開２００６−２０７１２６号公報
【発明の開示】
【発明が解決しようとする課題】
【０００４】
従来の通気断熱構造を備えた建築物においては、外部通気層と内部通気層を設けて、外部通気層と内部通気層における通気を制御する機構を設けている。外部通気層と内部通気層における通気を制御する機構としては、形状記憶合金を利用した通気制御ユニットが用いられる。この通気制御ユニットは、床下と内部通気層との境界部分や、外部通気層の開口部といった適宜位置に設置する。
したがって、通気断熱構造を備えた建物を構築するには、外部通気層や内部通気層を設けたり、通気制御機構を設けたりする必要がある。
【０００５】
本発明は、従来の通気断熱構造を備えた建築構造と比較して、より簡易な構成によって同様の通気構造を得ることができ、住環境を改善させることができる通気構造を備えた建築構造を提供することを目的とする。
【課題を解決するための手段】
【０００６】
本発明は、上記目的を達成するため次の構成を備える。
すなわち、室内の水蒸気あるいは揮発性有機化合物を壁構造材を透過して外部に排出する通気構造を備える建築構造であって、前記壁構造材は、断熱性および透湿性を備え、外装材が、前記壁構造材の外面に、壁構造材との間に通気層を設けて設置されていることを特徴とする。
【０００７】
また、前記外装材は、前記壁構造材の下部近傍から壁構造材の外面に沿って設置され、上端縁を軒先に連結して、前記通気層と小屋裏とを連通させていることを特徴とする。通気層と小屋裏とを連通させることにより、壁構造材を透過して室内の水蒸気あるいは揮発性有機化合物を効果的に排出させることができる。
また、前記外装材は、前記壁構造材の下部近傍から壁構造材の外面に沿って、軒先の近傍まで上端縁を延出させて設置された構造とすることによって、壁構造材を透過して室内の水蒸気あるいは揮発性有機化合物を効果的に排出させることができる。
【０００８】
また、前記壁構造材は、前記通気層が配置された側から室内側に向けて、透湿性の防水シート、透湿性のボード、透湿性の断熱材、透湿性のボードを備えることを特徴とする。また、前記通気層側に配置された透湿性のボードの透湿抵抗が、室内側に配置された透湿性のボードの透湿抵抗よりも低く設定されていることによって、室内で生じた水蒸気等を効率的に室外に排出することができる。
また、前記透湿性のボードとして、石膏ボードを用いることができる。また、前記断熱材として、木質繊維素材からなる断熱材が好適に使用できる。
【０００９】
また、前記壁構造材に加えて、天井を構築する天井構造材が、断熱性および透湿性を備えることにより、室内から水蒸気あるいは揮発性有機化合物をさらに効率的に排出することができる。
前記天井構造材には、透湿性の断熱材が好適に使用できる。
また、前記通気層に、通気層への外気の流入・遮断を制御する通気制御機構が設けられていることにより、季節に応じて室内環境を好適に保持することが可能となる。
【発明の効果】
【００１０】
本発明に係る通気構造を備えた建築構造によれば、通気層の作用により、室内において発生した水蒸気や揮発性有機化合物を壁構造体を透過させて室外に排出され、室内を良好な環境に維持することが可能となる。また、従来の通気断熱構造を備えた建築構造と比較して、より簡易な構造によって建築物を構築することができる。
【発明を実施するための最良の形態】
【００１１】
以下、本発明に係る通気構造を備えた建築構造について、添付図面にしたがって詳細に説明する。
図１に示す建築物は、断熱および調湿機能を備えた壁構造材１０と、壁構造材１０との間に通気層３０を設けて、壁構造材１０の外側に壁構造材１０に沿って設置した外装材２０とを備える。外装材２０は、下端縁を基礎５の立ちあがり部５ａの近傍に設置するとともに、上端縁を軒先２２に連結させ、壁構造材１０の下端から上端位置にまで通気層３０が連通するように設けられる。軒先２２に連通する通気層３０はそのまま小屋裏空間に連通する。
【００１２】
外装材２０の下端部（通気層３０）については、単に開放した状態としておいてもよいし、通気層２０の下部位置に通気制御機構４０を設けて、通気層３０における通気を制御するようにしてもよい。
通気制御機構４０は、通気層３０を外装材２０の下部位置において閉止するとともに、この閉止部分に部分的に開口部を設け、この開口部を開閉するように構成される。具体的には、形状記憶合金からなるバネ材と通常のスプリングを組み合わせたモジュールを利用し、遮蔽板を開口位置と閉止位置に回動させることによって通気層３０における通気を制御する。形状記憶合金は外部温度によって弾性を発現したり、塑性となったりする。したがって、この形状記憶合金の特性を利用することにより、夏期のように外気温が高いときには開口部を開放し、冬期のように外気温が低いときには開口部を遮蔽するように設定して、通気層３０への外気の通気を制御することができる。もちろん、通気制御機構４０の構成はこのような構成に限定されるものではない。
【００１３】
軒先２２には、小屋裏２５に外気を導入する通気口２２ａが設けられている。この通気口２２ａも、常時、開放しておいてもよいし、通気制御機構４１を設けて通気口２２ａを開閉し、軒先２２から小屋裏２５への通気を制御するようにしてもよい。
通気制御機構４１も前述した形状記憶合金からなるバネ材と通常のスプリングを用いたモジュールを用いて形成することができる。たとえば、通気口２２ａを開口する位置と遮蔽する位置との間を進退動するスライド板を設け、前記モジュールによりスライド板を移動させて通気口２２ａを開閉するように構成すればよい。
【００１４】
小屋裏２５の頂部には、屋根２６と小屋裏２５とを連通する開口部２５ａが設けられ、屋根２６の棟位置に、ハット部材２７が設けられている。ハット部材２７は開口部２５ａに雨風が進入しないように閉止するためのものであるが、通気制御機構４２を設置して、開口部２５ａと戸外との通気の連通を制御するように設けることができる。通気制御機構４２も前述したモジュールを利用して、外気温が高い場合には、開口部２５ａと戸外とを連通させ、外気温が低い場合には開口部２５ａと戸外との連通を閉止するように制御する。なお、通気制御機構４２を設けずに、開口部２５ａと戸外とが常時連通するように設定することも可能である。
【００１５】
本実施形態においては、基礎５を、建物の床下空間の全体を囲む形状に設けている。基礎５の立ちあがり部５ａには通気口６が設けられ、通気口６を開閉する通気制御機構４３が設けられている。この通気制御機構４３も、前述したモジュールを用いて、外気温に応じて通気口６を開閉するように設けられる。もちろん、通気制御機構４３を設けずに、通気口６を常時、開放しておいてもよい。
土台７には床面を構成する床板１２が取り付けられ、床板１２の下面の全面に、断熱材１３が敷設される。断熱材１３を敷設したことにより、床下空間と室内とを断熱して、室内を保温することができる。
【００１６】
本実施形態の建築構造において最も特徴とする構造は、室内の壁面を構成する壁構造材１０を断熱性と調湿性を備えた部材によって形成したことにある。壁構造材１０に断熱性をもたせることにより、外気温が変動した際であっても室内温度が変動することを防止し、室内空間を効率的に冷房あるいは暖房することを可能にする。
なお、本実施形態においては、室内の天井面を構成する天井構造材１１についても、断熱性と調湿性を備えた部材を使用している。
これによって、室内空間を構成する床面、壁面、天井面が、いずれも断熱材によって覆われ、室内空間の断熱性が高められる。
【００１７】
壁構造材１０および天井構造材１１に調湿機能を備えた部材を使用するとは、壁構造材１０および天井構造材１１を透湿性（通気性）を備えた材料を用いて形成し、保湿機能を備えた構造材として形成するという意味である。
図２に、壁構造材１０の構成例を示す。図は、外装材２０と通気層３０と壁構造材１０を示す。壁構造材１０は、通気層３０の側から、透湿性の防水シート１０１、透湿性の石膏ボード１０２、透湿性の断熱材１０３、透湿性の石膏ボード１０４、透湿性の内装材１０５によって形成される。石膏ボード１０２は壁構造材１０を構成するボードとして用いている。
【００１８】
透湿性の防水シート１０１は、石膏ボード１０２の外装材２０に対向する面を被覆するように設ける。石膏ボード１０２の外装材２０に対向する面を防水シートによって被覆するのは、通気層３０には雨などが吹き込むおそれがあり、石膏ボード１０２を雨水から保護するためである。建築資材として、極細長繊維を用いた不織布からなる透湿・防水シートが提供されている。防水シート１０１には、このような透湿性を備えた防水シートを使用すればよい。
【００１９】
石膏ボード１０２、１０４ともに、透湿性を備えた製品を使用する。石膏ボードには一定の透湿性を備えた商品が提供されている。壁構造材１０を構成する石膏ボード１０２、１０４としては、できるだけ透湿性の高い製品を使用するのがよい。透湿性の高い石膏ボードとしては、0.7(g/m2・mmHg・hr)程度の透湿性を有する製品が提供されている。この製品は、石膏ボードを隔壁として、一方と他方の空間のガス圧力差（たとえば、水蒸気分圧差）が１mmHgのときに、石膏ボード１平方メートルあたりに透過する水分量が、１時間あたり０．７ｇであることを意味する。
【００２０】
透湿性を備えた断熱材１０３としては、セルロースファイバー等の木質繊維素材あるいはグラスウール等の無機質繊維素材からなる断熱材が好適に用いられる。これらの繊維素材からなる断熱材は、透湿性の点ではまったく問題なく使用できる。無機質繊維素材からなる断熱材は、断熱性の点においては木質繊維素材よりも優れ、一方、木質繊維素材は保湿性の点で無機質繊維素材よりも優れるという特徴がある。壁構造材１０に用いる断熱材１０３としては、木質繊維素材からなる断熱材であっても、無機質繊維素材からなる断熱材であっても使用可能である。
【００２１】
ただし、本実施形態の通気構造においては、壁構造材１０に十分な保湿性が求められる場合がある。たとえば、梅雨の時期など、気象条件によっては一時的に外気の水蒸気分圧が室内の水蒸気分圧よりも高くなる場合がある。このような場合には、断熱材１０３によってできるだけ保湿（保水）して室内環境が悪化することを防ぐ必要がある。木質繊維素材からなる断熱材は、きわめて優れた保湿性を有し、室内の水蒸気分圧が高くなっても結露を防止するという優れた機能を備えている。このように、断熱材１０３として高度の保湿性が求められる場合には、木質繊維素材が好適に使用される。
【００２２】
内装材１０５は、石膏ボード１０４の室内面側を覆う化粧材である。この内装材１０５にも透湿性の材料を使用する。透湿性の内装材１０５としては、透湿性クロス、珪藻土等の種々の素材がある。
なお、天井構造材１１の構造も、壁構造材１０の構造と基本的に同じである。ただし、天井構造材１１においては、防水シート１０１は不要である。天井構造材１１の内装材１０５には、透湿性を有する適宜素材を使用すればよい。
【００２３】
本実施形態の通気構造において、壁構造材１０と天井構造材１１を透湿性の素材を用いて形成するのは、外装材２０と壁構造材１０との間に形成された通気層３０、および天井構造材１１に隣接する小屋裏２５の空間を利用して、室内で発生した水蒸気や、ホルムアルデヒド等の揮発性有機化合物（VOC）を室外へ排出させるためである。
【００２４】
図１に示すように、外装材２０と壁構造材１０との間に形成された通気層３０には、通気層３０の下方から上方に向けて気流の流れが生じる。これは通気層３０内で暖められた空気が上昇する作用によって生じる。通気層３０内を上昇した空気は小屋裏２５に進入し、開口部２５ａから戸外へ排出される。同様に、軒先２２の通気口２２ａから小屋裏に進入した外気は、小屋裏２５内を上昇して開口部２５ａから戸外に排出される。
【００２５】
なお、通気層３０の下部位置に通気制御機構４０が設けられた場合で、冬期等において通気制御機構４０により通気層３０の開口部が遮断されている場合には、通気層３０の下方から上方に向けての気流は、開口部が開いている場合と比較して弱くなる。実際の通気制御機構４０は、冬期等において開口部を閉止させる場合であっても完全には閉止されない構成となっており、これによって通気層３０に気流が生じる。
【００２６】
この通気層３０において、下方から上方に向けて流れる気流は、壁構造材１０を透過した、室内の水蒸気あるいは揮発性有機化合物（VOC)を小屋裏２５へ流し、小屋裏２５から開口部２５ａを経由して戸外へ排出させるように作用する。通気層３０を利用して、室内から水蒸気やVOCを排出させる作用は、従来の通気断熱構造において通気層を利用して室内の水蒸気やVOCを排出させる作用と同様である。
【００２７】
室内の水蒸気やVOCが、壁構造材１０を透過する作用は、通気層３０と室内との水蒸気分圧差、揮発性有機化合物の濃度差による。
室内での生活によって発散される水蒸気は、一人あたり1.5〜2.0（リットル／24h)程度であり、ほとんどの気象条件下においては、室内の水蒸気分圧は外気（通気層３０）の水蒸気分圧よりも高くなる。このように室内の水蒸気分圧が外気よりも高くなると、室内の水蒸気は、壁構造材１０を透過して水蒸気分圧の低い通気層３０に移動する。通気層３０においては、温度差や風圧による気流が生じているから、通気層３０に透過した水蒸気は気流とともに小屋裏２５に運ばれ、戸外に排出される。
【００２８】
気象条件によっては、室内の水蒸気分圧が、外気の水蒸気分圧と等しいか外気の水蒸気分圧よりも低くなることが生じ得る。この場合には、壁構造材１０による保湿作用を利用して、室内で生じた水蒸気を壁構造材１０に吸湿させる。外気の水蒸気分圧が室内の水蒸気分圧よりも高くなるのは一時的である。したがって、外気の水蒸気分圧が室内の水蒸気分圧よりも低くなった時点で、壁構造材１０に吸湿された水分が徐々に拡散、放出される。
【００２９】
室内で生じたホルムアルデヒド等の揮発性有機化合物についても、外気（通気層３０)と室内との揮発性有機化合物の濃度差により、壁構造材１０を透過して通気層３０に排出される。
図４は、壁構造材による揮発性有機化合物の透過性を確かめるために、壁構造材のサンプル５０として石膏ボードを使用し、チャンバー法によりホルムアルデヒドの低減性能試験を行った試験装置の概略構成を示す。サンプルとして使用した石膏ボードは、前述した0.7(g/m2・mmHg・hr)の透湿性能を有するものである。
【００３０】
チャンバー６０を、サンプル５０を隔壁として、室内空間に相当するＡ室と、通気層に相当するＢ室に仕切り、Ａ室にはホルムアルデヒドの発生装置６１と空気流動用のポンプ６２を接続し、Ｂ室には通気層の空気流動用としてポンプ６３を接続した。Ａ室の空気流入側に流量計６４とホルムアルデヒドの濃度測定器６５を設置し、流出側にも濃度測定器６６を設置した。Ｂ室にも同様に流量計６７、濃度測定器６８、６９を設置した。
この実験は、室内空間としてのＡ室のホルムアルデヒド濃度を建築基準において規定されている100μg/m3以下となるように、ホルムアルデヒドの供給とＡ室、Ｂ室の空気流動量を調節し、そのときにサンプル５０を透過するホルムアルデヒドの量を測定したものである。実験は、Ａ室のホルムアルデヒド濃度を100μg/m3以下とするため、Ｂ室のホルムアルデヒド濃度が27μg/m3となるように空気流動量を制御して行った。
【００３１】
測定によると、ホルムアルデヒドが54μg/（m2・h)の速度でサンプル５０の石膏ボードを透過すること、その際の透過面における換気量換算値は0.93m3/（m2・h)であることが確認できた。
この測定結果は、平均天井高2.4mの居室においては、床面積の1.3倍の透過面積を確保し、かつ通気層内におけるホルムアルデヒド濃度を27μg/m3以下に制御することによって、通気層によるホルムアルデヒドの排出作用が、居室に対して行う0.5（回／時）の換気と同等の効果が得られることを示す。
【００３２】
すなわち、上述した測定結果は、ホルムアルデヒドの濃度差により、室内から通気層へホルムアルデヒドが透過すること、その際に通気層が重要な作用をなすことを示している。本発明に係る通気構造においては、通気層に相当するＢ室は、外気にそのまま連通しているから、通気層におけるホルムアルデヒド濃度は0μg/m3に近いと考えてよい。したがって、本実施形態の通気構造の場合においても、上述した測定と同様に室内と通気層３０と揮発性有機化合物の濃度差により、室内から通気層３０へVOCを透過させ、これによって室内におけるVOC濃度を下げ、室内環境を好適に維持することが可能となる。近年は、シックハウス症候群等の健康問題が発生している。通気層３０を用いてVOCを排出する作用は有効であり、これによって健康被害を抑えることが可能である。
【００３３】
なお、天井構造材１１についても、透湿性の素材によって形成することにより、壁構造材１０と同様に、室内の水蒸気や揮発性有機化合物を小屋裏２５に透過させることができ、天井面からも水蒸気やVOCを排出させることによって、室内の環境をさらに好適に維持することが可能となる。通気層３０による水蒸気やVOCの排出作用は、通気・透湿として利用できる面積が広いほど有効だからである。
【００３４】
このように、壁構造材１０や天井構造材１１は、室内の水蒸気や揮発性有機化合物をできるだけ効率的に外部に排出できるようにする必要があるから、たとえば壁構造材１０においては、室内側のボードである石膏ボード１０４の透湿抵抗にくらべて通気層３０側のボードである石膏ボード１０２の透湿抵抗を低くする（透湿しやすくなる）のがよい。これによって室内側から壁構造材１０に透過した水蒸気あるいはVOCが、断熱材１０３中に滞留せず、石膏ボード１０２から排出されやすくなる。
【００３５】
通気層３０側のボードの透湿抵抗を室内側のボードよりも低くするには、通気層３０側のボードの厚さを室内側のボードの厚さよりも薄くする、あるいは通気層３０側のボード材料として室内側のボードより透湿性（通気性）のよい材料を使用するといった方法によることができる。たとえば、ケナフを利用したボードは、薄厚で所要の強度を備えるから、透湿性（通気性）に優れ、通気層３０側に使用するボードとして好適に利用することができる。
【００３６】
図３は、本発明に係る通気構造を備えた建築構造についての他の構成例を示す。
前述した実施形態においては、外装材２０を軒先２２に連結し、通気層３０が軒先２２を経由して小屋裏２５にそのまま連通するように設けたが、図３に示すように、外装材２０を軒先２２に連結させず、外装材２０の上端を軒先２２から離間させるようにすることもできる。
このような構成とした場合には、通気層３０の下側に流入した空気は通気層３０の上側から外部に流出する。この場合であっても、壁構造材１０を透過した水蒸気およびVOCは通気層３０を通流する気流とともに排出され、室内環境を良好にすることができる。
【００３７】
ただし、前述した実施形態のように、通気層３０を小屋裏２５に連通させた構造とすると、通気層３０と小屋裏２５が連通空間となることから、煙突作用によって通気層３０から小屋裏２５側に空気が吸い上げられ、通気層３０に強制的に上昇気流が生じる。これによって、通気層３０から水蒸気やVOCを吸引する作用がより強く作用し、壁構造材１０を透過して室内の水蒸気やVOCを排出させ、室内環境をより好適に維持することが可能になる。
【００３８】
図３に示す通気構造においては、小屋裏２５には軒先２２に設けた通気口２２ａから外気が流入する。小屋裏２５には常時、上昇気流が生じているから、天井構造材１１を透過した水蒸気やVOCは、開口部２５ａから排出され、天井構造材１１に対しては、室内の水蒸気やVOCを引き込む作用が生じる。
【００３９】
図３においては、基礎５の通気口６、通気層３０の下部、軒先２２の通気口２２ａに通気制御機構を設けない構造としている。このように通気制御機構を設けない構成とした場合は、通気構造を備える建築構造は簡素となり、施工が容易になる。
【図面の簡単な説明】
【００４０】
【図１】通気構造を備える建築構造の断面図である。
【図２】外装材と壁構造材の構造を拡大して示す断面図である。
【図３】通気構造を備える建築構造の他の構成例を示す断面図である。
【図４】ホルムアルデヒドの透過特性の測定に使用した測定装置の構成を示すブロック図である。
【符号の説明】
【００４１】
５  基礎
６  通気口
１０  壁構造材
１１  天井構造材
１２  床板
１３  断熱材
２０  外装材
２２  軒先
２５  小屋裏
２５ａ  開口部
２７  ハット部材
３０  通気層
４０、４１、４２、４３  通気制御機構
【図１】
2009270397.tif 000003
【図２】
2009270397.tif 000004
【図３】
2009270397.tif 000005
【図４】
2009270397.tif 000006